(57)【要約】【課題】工場に設置されたコンベアラインを横切るようにコンベアラインの下方に設置された通路の天井部を覆うことにより、通路を通る作業者の安全を確保することができる安全カバーを提供する。【解決手段】コンベアラインを横切るようにコンベアラインの下方に設けられ、作業員が行き来するための通路の天井部に設置される安全カバーであって、コンベアフレーム２の両側面およびコンベアフレーム２の下面を覆うように設けられ、平板状部１１ａと該平板状部１１ａの両側縁から上方に折曲された２つの側板部１１ｂ，１１ｂとを有した樋状の薄板からなるカバー本体１１と、カバー本体１１を支持するとともにコンベアフレーム２に固定される複数の支持部材１２とを備え、複数の支持部材１２は板バネからなる。【選択図】図４
2014125290.tif 000002
【特許請求の範囲】
【請求項１】
コンベアラインを横切るようにコンベアラインの下方に設けられ、作業員が行き来するための通路の天井部に設置される安全カバーであって、
コンベアフレームの両側面およびコンベアフレームの下面を覆うように設けられ、平板状部と該平板状部の両側縁から上方に折曲された２つの側板部とを有した樋状の薄板からなるカバー本体と、
前記カバー本体を支持するとともに前記コンベアフレームに固定される複数の支持部材とを備え、
前記複数の支持部材は板バネからなることを特徴とする安全カバー。
【請求項２】
前記支持部材は、略Ｕ字状の板バネからなり、板バネの一端部を前記カバー本体に固定するとともに他端部を前記コンベアフレームに固定することにより、板バネにより前記カバー本体を吊り下げるようにしたことを特徴とする請求項１記載の安全カバー。
【請求項３】
前記カバー本体の外周縁には、樹脂材が固定されていることを特徴とする請求項１又は２記載の安全カバー。
【請求項４】
前記カバー本体における前記平板状部と前記側板部との接続部は曲面になっていることを特徴とする請求項１乃至３のいずれか一項に記載の安全カバー。
【請求項５】
前記カバー本体はステンレス鋼板からなることを特徴とする請求項１乃至４のいずれか一項に記載の安全カバー。
【発明の詳細な説明】
【技術分野】
【０００１】
本発明は、安全カバーに係り、特に工場内において物品を搬送するコンベアラインを横切るようにコンベアラインの下方に設けられ作業員が行き来するための通路である作業動線に好適な安全カバーに関するものである。
【背景技術】
【０００２】
製造工場や組立工場においては、多数の工程を経て製品ができあがるが、各工程間を接続するために多数のコンベアラインが設置されている。工場におけるコンベアラインにおいては、搬送されている物品の目視ができるようにコンベア搬送面は作業員の身長より低い位置にあることが多い。コンベアラインの側方には、作業員が行き来したり物品を搬入したりするための通路が設けられているが、工場内ではコンベアラインが縦横に又は曲線状に走っている場合が多いため、コンベアラインを横切るようにコンベアラインの下方にも作業員が行き来するための作業動線と呼ばれる通路を安全に確保することが必要となる。
【先行技術文献】
【特許文献】
【０００３】
【特許文献１】特開２００８−１５６０６９号公報
【発明の概要】
【発明が解決しようとする課題】
【０００４】
上述したように、コンベアラインの搬送面は、作業員の身長より低い位置にあることが多いため、コンベアラインを横切るようにコンベアラインの下方に設けられる作業動線と呼ばれる通路は、作業員の身長よりかなり低い高さの通路になる。そのため、この通路を行き来する場合には、身を屈めて通る必要がある。
【０００５】
しかしながら、前記作業動線と呼ばれる通路の上方には、コンベアフレームがあり、またコンベアフレームの周囲に配管が走っていたり、配管を支持するサポート等の突起物が突出している場合が多く、作業者は通路を通る際に、コンベアフレーム、配管および突起物等に頭をぶつけることがある。
そのため、上記作業動線の周りに下記のような安全対策を施している。
１）コンベアフレームへのクッション材の貼り付け、注意喚起用のトラテープ等の貼り付け
２）配管サポート等の突起物へのクッション材の貼り付け、注意喚起用のトラテープ等の貼り付け
３）作業動線の床への身を屈める注意範囲を示す目安テープの貼り付け
【０００６】
しかしながら、作業者が注意喚起用のテープを見過ごしたり、クッション材が剥離するなど想定外の事例が発生して作業者が負傷するなどの事故が起こったりして、未だ事故を完全には撲滅しきれていない。
本発明は、上述の事情に鑑みなされたもので、工場に設置されたコンベアラインを横切るようにコンベアラインの下方に形成された通路の天井部に設けられ、通路を通る作業者の安全を確保することができる安全カバーを提供することを目的とする。
【課題を解決するための手段】
【０００７】
上述の目的を達成するため、本発明の安全カバーは、コンベアラインを横切るようにコンベアラインの下方に設けられ、作業員が行き来するための通路の天井部に設置される安全カバーであって、コンベアフレームの両側面およびコンベアフレームの下面を覆うように設けられ、平板状部と該平板状部の両側縁から上方に折曲された２つの側板部とを有した樋状の薄板からなるカバー本体と、前記カバー本体を支持するとともに前記コンベアフレームに固定される複数の支持部材とを備え、前記複数の支持部材は板バネからなることを特徴とする。
本発明によれば、コンベアラインの下方に設けられた通路を作業者が通る際に、作業者の頭等がカバー本体にぶつかったとしても、緩衝用の板バネからなる支持部材によりカバー本体が移動して逃げるため、作業者には衝撃が加わることなく、作業者の安全を確保することができる。
【０００８】
本発明の好ましい態様によれば、前記支持部材は、略Ｕ字状の板バネからなり、板バネの一端部を前記カバー本体に固定するとともに他端部を前記コンベアフレームに固定することにより、板バネにより前記カバー本体を吊り下げるようにしたことを特徴とする。
本発明によれば、板バネによりカバー本体が吊り下げられている構成であるため、カバー本体に作業者がぶつかったとしても、カバー本体が上方及び／又は側方に移動して逃げるため、作業者には衝撃が加わることなく、作業者の安全を確保することができる。
【０００９】
本発明の好ましい態様によれば、前記カバー本体の外周縁には、樹脂材が固定されていることを特徴とする。
本発明によれば、カバー本体の外周縁が樹脂材により覆われているため、作業者が接触しても安全である。
【００１０】
本発明の好ましい態様によれば、前記カバー本体における前記平板状部と前記側板部との接続部は曲面になっていることを特徴とする。
本発明によれば、カバー本体に角部がないため、作業者が安全カバーに激突した場合でも切創等が発生する危険性が少ない。
【００１１】
本発明の好ましい態様によれば、前記カバー本体はステンレス鋼板からなることを特徴とする。
本発明によれば、カバー本体がステンレス鋼板からなるため、カバー本体の耐久性および洗浄性を確保することができる。
【発明の効果】
【００１２】
本発明は、以下に列挙する効果を奏する。
（１）コンベアラインの下方に設けられた通路を作業者が通る際に、作業者の頭等がカバー本体にぶつかったとしても、緩衝用の板バネからなる支持部材によりカバー本体が移動して逃げるため、作業者には衝撃が加わることなく、作業者の安全を確保することができる。
（２）コンベアフレームの周囲にある突起物を安全カバー内に収めることにより、作業者が突起物へ激突する事故がなくなる。
（３）設置した安全カバーに角部がないため、万が一、作業者が安全カバーに激突した場合でも切創等が発生する危険性が少ない。
（４）安全カバーを緩衝用の板バネからなる支持部材でコンベアフレームに固定しているため、安全カバーにクッション性を持たせることができ、万が一、作業者が激突した場合でも脳震盪等が発生する危険性も少ない。
（５）安全カバーの奥行および長さを変えることで、安全カバーをどんな場所にも取り付けることができる。
【図面の簡単な説明】
【００１３】
【図１】図１は、本発明の安全カバーを備えたコンベアラインを示す平面図である。
【図２】図２は、図１に示す安全カバーを備えたコンベアラインを平面に展開した図である。
【図３】図３は、図１のIII−III線断面図である。
【図４】図４（ａ），（ｂ）は、安全カバーの詳細構造を示す図であり、図４（ａ）は正面図、図４（ｂ）はIV−IV断面図である。
【図５】図５は、安全カバーがコンベアラインに設置された状態を示す図である。
【図６】図６は、安全カバーがコンベアラインに設置された状態を示す図である。
【発明を実施するための形態】
【００１４】
以下、本発明に係る安全カバーの実施形態を図１乃至図６を参照して説明する。
図１は、本発明の安全カバーを備えたコンベアラインを示す平面図である。図２は、図１に示す安全カバーを備えたコンベアラインを平面に展開した図である。
図１および図２においては、ガラス壜や缶等の容器を曲線搬送系路上を搬送するコンベアライン１が図示されている。コンベアライン１は、コンベアフレーム２と、コンベアフレーム２に支持されたコンベア３とを備えている。コンベア３の搬送面３ａは、略円弧状の搬送面になっている。コンベアフレーム２には、３つの安全カバー１０が固定されている。
【００１５】
図３は、図１のIII−III線断面図である。図３においては、３つの安全カバー１０のうち真ん中の安全カバー１０を示すが、断面構成は３つの安全カバー１０は略同一である。図３に示すように、安全カバー１０はコンベアフレーム２の下部両側面およびコンベアフレーム２の下面を覆うようにコンベアフレーム２に固定されている。安全カバー１０はコンベアフレーム２の下面全面を覆っている。コンベアフレーム２の周囲に配管等が設置されている場合には、安全カバー１０は配管および配管サポートを含めてコンベアフレーム２の周囲にある突起物を覆うように設けられる。
【００１６】
図４（ａ），（ｂ）は、安全カバー１０の詳細構造を示す図であり、図４（ａ）は正面図、図４（ｂ）は図４（ａ）のIV−IV断面図である。図４（ａ），（ｂ）に示すように、安全カバー１０は、コンベアフレーム２の下部両側部およびコンベアフレーム２の下面を覆うためのカバー本体１１と、カバー本体１１を支持するとともにカバー本体１１をコンベアフレーム２に固定するための支持部材１２とから構成されている。図４（ａ）に示すように、カバー本体１１はコンベアフレーム２に沿って延びる長尺の部材からなり、図４（ｂ）に示すように、カバー本体１１は、平板状部１１ａと、平板状部１１ａの両側縁から上方に折曲された側板部１１ｂ，１１ｂとから構成されている。カバー本体１１は、略Ｕ字状の断面を有した樋状に形成されている。カバー本体１１は耐久性および洗浄性を考慮してステンレス鋼板から形成されており、ステンレス鋼板は、板厚０．５ｍｍ〜２．０ｍｍの薄板からなっている。
【００１７】
図４（ａ），（ｂ）に示すように、支持部材１２はカバー本体１１の上部両側端に固定されており、支持部材１２はカバー本体１１の長手方向に沿って間隔をおいて複数個設けられている。支持部材１２はカバー本体１１にボタンボルトとナットからなる締結具１３により固定されている。支持部材１２は、略Ｕ字状の板バネから構成されており、カバー本体１１を弾性的に保持するようになっている。板バネは、材質がステンレス鋼板からなり、板厚が０．５ｍｍ〜１．０ｍｍのものが用いられている。
【００１８】
図４（ａ）において二点鎖線はカバー本体１１の外周縁に固定される樹脂材を示すものであり、カバー本体１１の外周縁をポリ塩化ビニル（ＰＶＣ）等の樹脂材で覆うことにより、作業者がカバー本体１１の外周縁に接触しても安全なようになっている。
また、図４（ｂ）において二点鎖線はコンベアフレーム２を示すものである。図４（ｂ）に示すように、支持部材１２はボルト１５を用いてコンベアフレーム２に固定されている。
【００１９】
図１乃至図４に示すように、コンベアライン１のコンベアフレーム２の下部両側面およびコンベアフレーム２の下面を覆うように安全カバー１０を設置することにより、以下のような効果が期待できる。
１）コンベアフレーム２の周囲にある突起物を安全カバー１０内に収めることにより、作業者が突起物へ激突する事故がなくなる。
２）設置した安全カバーに角部がないため、万が一、作業者が安全カバーに激突した場合でも切創等が発生する危険性が少ない。
３）安全カバー１０を緩衝用の板バネからなる支持部材１２でコンベアフレーム２に固定しているため、安全カバー１０にクッション性を持たせることができ、万が一、作業者が激突した場合でも脳震盪等が発生する危険性も少ない。
４）安全カバー１０の奥行および長さを変えることで、安全カバー１０をどんな場所にも取り付けることができる。
【００２０】
図５および図６は、安全カバー１０がコンベアライン１に設置された状態を示す図である。
図５に示すように、コンベアライン１のコンベアフレーム２の側面および下面を覆うように、安全カバー１０が設置されている。安全カバー１０の下方には作業動線としての通路２０が形成されている。安全カバー１０の前面には「頭上注意」の注意喚起のためのステッカーが貼り付けられている。
図６に示すように、コンベアフレーム２の周囲には配管１５及び配管サポート１６等の突起物があり、安全カバー１０は、コンベアフレーム２だけではなく、配管１５および配管サポート１６等の突起物を収めている。
【００２１】
これまで本発明の実施形態について説明したが、本発明は上述の実施形態に限定されず、その技術思想の範囲内において、種々の異なる形態で実施されてよいことは勿論である。
【符号の説明】
【００２２】
１  コンベアライン
２  コンベアフレーム
３  コンベア
３ａ  搬送面
１０  安全カバー
１１  カバー本体
１１ａ  平板状部
１２  支持部材
１３  締結具
１５  配管
１６  配管サポート
２０  通路
【図１】
2014125290.tif 000003
【図２】
2014125290.tif 000004
【図３】
2014125290.tif 000005
【図４】
2014125290.tif 000006
【図５】
2014125290.tif 000007
【図６】
2014125290.tif 000008